(57)【要約】      （修正有）【課題】住空間の広さを損なうことなく、簡単な構造で天井裏空間の有効活用を図れ、取扱い性及び使い勝手の観点から改善を図った天井収納システムを提供する。【解決手段】操作部１５０を操作し底面部１１２をアンロック状態にして下方へ付勢すると、底面部は昇降制御機構部１４０による上方への付勢力に抗してガイドレール機構部１３０に案内されて降下し収納機構部１２０が天井表側２０ｂに出現し、収納機構部が所定量降下すると、それ以上の降下をストッパー部１６０にて阻止される。また、操作部を操作し底面部を上方へ付勢すると、底面部は昇降制御機構部による上方への付勢力に乗じてガイドレール機構部に案内されて天井上方へ移動して収納機構部が天井裏側に位置し、底面部がロック機構部にてロック状態になると、底面部は天井と同一面上に位置する。【選択図】図１
0003195728.tif 000002
【実用新案登録請求の範囲】
【請求項１】
上面部、この上面部と平行な位置関係にある底面部及びこの底面部と垂直な位置関係にある側面部材からなる角筒状の本体であって、
この本体は建築物の天井に設けられ、
当該天井の裏側に上記上面部が位置し表側に上記底面部が位置するよう構成され、
当該天井の水平面に対し垂直方向に移動可能な天井収納システムに於いて、
上記底面部に取付けられ、少なくとも側面部の一部が内側に有する収納部を視認可能な部材で作製された直方体状の収納機構部と、
一端部が上記上面部に取付けられるとともに他端部が上記底面部に取付けられ、上記収納機構部を上記天井の水平面に対して垂直方向に移動可能となるよう伸縮自在な部材にて案内するガイドレール機構部と、
一端部が上記上面部に取付けられるとともに他端部が上記収納機構部の側面部に取付けられて上記ガイドレール機構部の伸縮自在となる動きを制御する定荷重ばねを有する昇降制御機構部と、
上記底面部に設けられ、当該底面部をロック・アンロック状態に可能とするロック機構部を有し、当該底面部を垂直方向に移動させる力を付与するための操作部と、
水平方向に指向する突片部を有し上記収納機構部の上部に設けられたストッパー部とを具備し、
上記操作部を操作し上記底面部をアンロック状態にして下方へ付勢すると、当該底面部は上記昇降機構部による上方への付勢力に抗して上記ガイドレール機構部に案内されて当該天井の下方へ移動することにより上記収納機構部が当該天井の裏側から表側に降下し、
当該収納機構部が垂直方向に所定量降下すると、
上記突片部が上記天井の裏側にて上記側面部材と当接し当該収納機構部のそれ以上の降下を上記ストッパー部にて阻止され、
上記操作部を操作し上記底面部を上方へ付勢すると、当該底面部は上記昇降機構部による上方への付勢力に乗じて上記ガイドレール機構部に案内されて上記天井の上方へ移動することにより、当該底面部が上記ロック機構部にてロック状態になると、上記収納機構部の少なくとも一部または上記収納機構部の全部が当該天井の表側から裏側に位置するよう構成したことを特徴とする天井収納システム。
【請求項２】
上記収納機構部の側面部位の一部は開放可能または開放状態に構成され、
当該収納機構部の縁部分は金属製フレームからなり、この金属製フレームの内側に透明な樹脂板を取付けるよう構成したことを特徴とする請求項１記載の天井収納システム。
【請求項３】
上記収納機構部の側面部位にラック機構部を設けたことを特徴とする請求項１または請求項２記載の天井収納システム。
【請求項４】
上記底面部に対して昇降用の動力を付与する駆動用モータを設けたことを特徴とする請求項１、請求項２または請求項３記載の天井収納システム。
【請求項５】
上記底面部が上記ロック機構部にてロック状態になり、上記収納機構部の全部が当該天井の表側から裏側に位置すると、当該底面部は当該天井と同一面上に位置するよう構成したことを特徴とする請求項１乃至４記載の天井収納システム。
【考案の詳細な説明】
【技術分野】
【０００１】
本考案は、建築物の天井裏空間の有効活用、特に戸建て住宅やマンション他集合住宅等の限られた居住空間に於ける天井裏空間の有効活用を図った天井収納システムに関する。
【背景技術】
【０００２】
従来より、戸建て住宅やマンション他集合住宅等の限られた居室空間にあっては、居住空間を広く使用するために、種々の工夫が図られてきている。例えば、物品等の収納場所として、屋根裏収納庫といったように天井近傍の空間を利用した種々の工夫が図られてきている。
【０００３】
特開平４−１６６５５５号公報(下記特許文献１)には、前面に開閉扉を備えた収納ラックを天井に設けられた吊持体の伸縮動作で昇降するよう構成し、天井と収納ラックとの間には伸縮限度位置が予め設定され、伸縮限度位置を超える所定範囲までは収納ラックの昇降を許容する状態で収納ラックに対して下端側が連結される伸縮自在な昇降カイド部材を介装し、収納ラックには伸縮限度位置を超える所定範囲での昇降に伴って開閉扉を閉鎖・開放する開閉リンク機構を設けた可動式天井収納庫が開示されている。このものにあっては、梯子や脚立を必要とせず物の出し入れを低い位置で容易且つ安全に行えるようにしたものである。
【０００４】
特開平１０−２９９２４６号公報(下記特許文献２)には、天井裏空間に収納物を棚板上に載置し、天井面より下に連出された吊り下げ装置により棚板を昇降させて収納物の出し入れを行う天井収納庫が開示されている。このものにあっては、棚板の昇降により、天井裏の空間を利用し居住空間を広く使用できる工夫がなされている。
【０００５】
特開２００７−３０９０６５号公報(下記特許文献３)には、天井裏の空間に、物入れ箱を動滑車の原理を利用して自動昇降装置により収める自動昇降機能つき天井物入れ箱が開示されている。このものにあっては、収納物を安全に保ち、天井面と物入れ箱の底板の取り合いを同一面にして、天井裏の空間を有効に活用できるよう工夫がなされている。
【０００６】
特開２０１２−１３５３９１号公報(下記特許文献４)には、仕切り板を介して複数室に区画された角筒を居室の天井下の空間に設置し、角筒内の各室に少なくとも正面側が開放され、吊具により最大下降位置が維持された函体を収納して函体の収納位置を確定するラッチ手段を設け、このラッチ手段を解除するハンドルを函体の下面板外面に設け、居室の天井下の空間に総て手動で引き下げ及び押し上げできる収納スペースを設けることができるように構成した天井収納具が開示されている。このものにあっては、ハンドルを持って函体を手動にて下向きに引出し、物を入れた後手動にて上向きに押し上げることができ、収納状態ではそのまま天井となるようにすることで天井近傍の空間を有効に活用できるよう工夫がなされている。
【先行技術文献】
【特許文献】
【０００７】
【特許文献１】特開平４−１６６５５５号公報
【特許文献２】特開平１０−２９９２４６号公報
【特許文献３】特開２００７−３０９０６５号公報
【特許文献４】特開２０１２−１３５３９１号公報
【考案の開示】
【考案が解決しようとする課題】
【０００８】
特許文献１に開示されたものは、天井の表側（居室空間側）のデッドスペースの有効利用を計るべく収納ラックを天井の表側に設け、収納ラックが昇降自在に吊持され、且つ下降位置においては前面の扉が自動的に開閉する構成となっている。しかしながら、このものあっては、昇降機構が大がかりであり、また天井の表側に設置されるので、居室空間としては天井部分が狭くなり圧迫感を生じるものである。
【０００９】
特許文献２に開示されたものは、収納物を載せる棚板を天井面と略平行に昇降させるための吊り下げ装置が使用されている。この吊り下げ装置の構成は大がかりで複雑であり、その設置のために多くの費用と手間を要するものである。しかも、収納物は棚板に載置されるので、安定性と安全性の問題が生じる虞もある。
【００１０】
特許文献３に開示されたものは、物入れ箱を動滑車の原理を利用して自動昇降装置により収めるものである。このため、構造は大がかりとなり、その設置のために多くの費用と手間を要するものである。
【００１１】
特許文献４に開示されたものは、天井の表側に天井収納具を設けた構成となっており、居室空間としては天井部分が狭くなり圧迫感を生じる虞もあるものである。
【００１２】
近時、キッチンにビルトインされ扉開放時に階段状に食器棚が展開されるよう構成した食器棚システムの天井収納への応用を図ろうとする試みもある。しかし、このものにあっては、その仕組みが大がかりで、その設置のために多くの費用と手間を要するものである。しかも、内部の収納スペースが意外に狭いという収納面で難があるものである。
【００１３】
本考案は、上記事情を考慮してなされたもので、上述の不具合を解消し、居住空間の広さを損なうことなく、簡単な構造で天井裏空間の有効活用を図れる天井収納システムを提供することを目的とする。
また、本考案は、取扱い性、使い勝手の観点から改善を図った天井収納システムを提供することを目的とする。
【課題を解決するための手段】
【００１４】
本考案は、上記目的を達成するために以下の通りの構成とすることを特徴とする。
【００１５】
（１）上面部、この上面部と平行な位置関係にある底面部及びこの底面部と垂直な位置関係にある側面部材からなる角筒状の本体であって、この本体は建築物の天井に設けられ、当該天井の裏側に上記上面部が位置し表側に上記底面部が位置するよう構成され、当該天井の水平面に対し垂直方向に移動可能な天井収納システムに於いて、上記底面部に取付けられ少なくとも側面部の一部が内側に有する収納部を視認可能な部材で作製された直方体状の収納機構部と、一端部が上記上面部に取付けられるとともに他端部が上記底面部に取付けられ上記収納機構部を上記天井の水平面に対して垂直方向に移動可能となるよう伸縮自在な部材にて案内するガイドレール機構部と、一端部が上記上面部に取付けられるとともに他端部が上記収納機構部の側面部に取付けられて上記ガイドレール機構部の伸縮自在となる動きを制御する定荷重ばねを有する昇降制御機構部と、上記底面部に設けられ当該底面部をロック・アンロック状態に可能とするロック機構部を有し当該底面部を垂直方向に移動させる力を付与するための操作部と、水平方向に指向する突片部を有し上記収納機構部の上部に設けられたストッパー部とを具備し、上記操作部を操作し上記底面部をアンロック状態にして下方へ付勢すると当該底面部は上記昇降機構部による上方への付勢力に抗して上記ガイドレール機構部に案内されて当該天井の下方へ移動することにより上記収納機構部が当該天井の裏側から表側に降下し、当該収納機構部が垂直方向に所定量降下すると上記突片部が上記天井の裏側にて上記側面部材と当接し当該収納機構部のそれ以上の降下を上記ストッパー部にて阻止され、上記操作部を操作し上記底面部を上方へ付勢すると当該底面部は上記昇降機構部による上方への付勢力に乗じて上記ガイドレール機構部に案内されて上記天井の上方へ移動することにより当該底面部が上記ロック機構部にてロック状態になると、上記収納機構部の少なくとも一部または上記収納機構部の全部が当該天井の表側から裏側に位置するよう構成した。
【００１６】
（２）上記（１）の構成にあって、上記収納機構部の側面部位の一部は開放可能または開放状態となるよう構成され、当該収納機構部の縁部分は金属製フレームからなり、この金属製フレームの内側に透明な樹脂板を取付けるよう構成した。
【００１７】
（３）上記(１)または（２）の構成にあって、上記収納機構部の側面部位にラック機構部を設けた構成とした。
【００１８】
（４）上記（１）、（２）または（３）の構成にあって、上記底面部に対して昇降用の動力を付与する駆動用モータを設けた構成とした。
【００１９】
（５）上記（１）乃至（４）の構成にあって、上記底面部が上記ロック機構部にてロック状態になり、上記収納機構部の全部が当該天井の表側から裏側に位置すると、当該底面部は当該天井と同一面上に位置するよう構成とした。
【００２０】
上記構成によれば、居住空間の広さを損なうことなく、簡単な構造で天井裏空間の有効活用を図れるものである。また、操作性も良く取扱いが容易という実用的効果を奏するものである。
【００２１】
さらに、上記構成によれば、安全面にも優れ且つ美観にも優れるという効果を奏するものである。
【考案の効果】
【００２２】
本考案によれば、居住空間の広さを損なうことなく、簡単な構造で天井裏空間の有効活用を図れるものである。
また、本考案によれば、取扱い性及び使い勝手の観点からの改善も図れ、実用的な効果をも奏する。
【図面の簡単な説明】
【００２３】
【図１】本考案の一実施形態に係わる天井収納システムの全体の概略構成を示す図である。
【図２】同実施形態に係わり、収納機構部が降下した状態に於ける天井収納システムの正面からの概略構成を模式的に示す断面図である。
【図３】同実施形態に係わり、収納機構部が降下した状態に於ける天井収納システムの側面からの概略構成を模式的に示す図である。
【図４】同実施形態に係わり、ロック機構部の概略構成を模式的に示す図である。
【図５】同実施形態に係わり、ストッパー部の概略構成を模式的に示す図である。
【図６】同実施形態の変形例に係わり、制御ラック機構部を設けた天井収納システムの全体の側面からの概略構成を模式的に示す図である。
【図７】同実施形態の他の変形例に係わり、ラックアンドピニオン機構部を設けた天井収納システムの全体の側面からの概略構成を模式的に示す図である。
【図８】同実施形態の更なる他の変形例に係わり、収納機構部が降下した状態に於ける天井収納システムの側面からの概略構成を模式的に示す図である。
【図９】同実施形態の更なる他の変形例に係わり、収納機構部が天井近傍に収納された状態に於ける天井収納システムの側面からの概略構成を模式的に示す図である。
【考案を実施するための形態】
【００２４】
以下本考案の一実施形態につき、図を参照して説明する。
【００２５】
本実施形態に係わる天井収納システム１０は、上面部１１０、この上面部１１０と平行な位置関係にある底面部１１２、上面部１１０及び底面部１１２と垂直な位置関係にある側面部１１４，１１４、底面部１１２の側面側上部に位置するようその両端部が側面部１１４，１１４の下端部に取付けられ且つ底面部１１２と垂直な位置関係にある側面部材１１６，１１６、そして側面部材１１６，１１６の正面部１１６ａ，１１６ａ側にその両端部が取付けられた部材１１８とからなる角筒状のシステム本体１００を有し、その上面部１１０が天井２０の裏側２０ａに位置し、その底面部１１２が天井２０の表側（居住空間側）２０ｂに位置するよう天井２０に設けられている。この天井収納システム１０は、天井２０の水平面に対して底面部１１２が垂直方向に移動可能となるよう構成されており、未利用時、底面部１１２は天井２０と同一水平面上に位置し、底面部１１２はあたかも天井２０の一部となるよう構成されている。
而して底面部１１２の上面部１１２ａには、内部が空洞な直方体状の収納機構部１２０が設けられている。
【００２６】
収納機構部１２０は内部に収納部１２２を有しており、その縁部分はアルミの金属製フレーム１２４から構成されている。また、金属製フレーム１２４の内側には、正面部１２０ａを除き、ポリカーボネートのような透明な樹脂板１２６が取付けられている。なお、本実施形態の正面部１２０ａは、収納部１２２への物品等の出し入れがし易いよう樹脂板が取付けられることなく開放状態に構成されているが、開閉自在となるよう透明な樹脂板を設けても良いことは勿論である。
【００２７】
上面部１１０、底面部１１２及び収納機構部１２０の金属製フレーム１２４には、収納機構部１２０を天井２０の水平面に対して垂直方向に移動可能となるよう伸縮自在な部材にて案内するガイドレール機構部１３０が取付けられている。即ち、このガイドレール機構部１３０は２段引方式のアルミ合金製のスライドレールからなり、収納機構部１２０の側面側に位置するよう、その一端部１３０ａが上面部１１０に取付けられるとともに、その他端部１３０ｂが底面部１１２近傍の金属製フレーム１２４に取付けられている。また、ガイドレール機構部１３０の中間部位が、収納機構部１２０の金属製フレーム１２４の側面側上部に取付けられている。
【００２８】
上面部１１０及び収納機構部１２０の側面部１１４には、定荷重ばね（例：サンコースプリング株式会社製コンストン（商品名））を有する昇降制御機構部１４０が設けられている。この昇降制御機構部１４０は、その一端部１４０ａが上面部１１０に取付けられるとともに、その他端部１４０ｂが収納機構部１２０の金属製フレーム１２４の側面側上部に取付けられており、ガイドレール機構部１３０の伸縮自在となる垂直方向の動きを制御するよう機能するものである。即ち、ガイドレール機構部１３０が下方へ伸長するに際しては、昇降制御機構部１４０の定荷重ばねによる上方へ付勢する力が発生することにより、ガイドレール機構部１３０の伸長する動きが穏やかになり、以って底面部１１２がゆっくりと降下するよう機能するものである。また、下方に伸長したガイドレール機構部１３０が上方へ収縮するに際しては、昇降制御機構部１４０の定荷重ばねによる上方へ付勢する力が発生することにより、ガイドレール機構部１３０の収縮する動きを助け、大きな力を付与することなく底面部１１２を上昇させるよう機能するものである。
【００２９】
底面部１１２には、収納機構部１２０を天井２０の裏側２０ａから取出して利用したり天井２０の裏側２０ａへ収容しておくための操作用の操作部１５０が設けられている。この操作部１５０は、収納機構部１２０の正面部１２０ａ側の底面部１１２に設けられた平面ハンドルから構成され、底面部１１２を天井２０の裏側２０ａにてロック状態・アンロック状態にするロック機構部１５２を有する。即ち、底面部１１２と天井２０が同一水平面上に位置するときは、ロック機構部１５２のラッチ片１５２ａが部材１１８に設けられたラッチ受け部１５２ｂと当接・係合することにより（図４の（ａ）参照）、底面部１１２の降下を阻止するよう機能する。また、操作部１５０の平面ハンドルを操作してラッチ片１５２ａを水平方向に動かしラッチ受け部１５２ｂとの当接・係合状態を解除すると（図４の（ｂ）参照、ラッチ片１５２ａを矢印方向へ水平移動させる。）、アンロック状態となるよう機能構成されている。而して、アンロック状態のときに、平面ハンドルに下方へ付勢する力を付与すると、底面部１１２は下方へ降下することになる。
【００３０】
なお、収納機構部１２０の上部、即ち金属製フレーム１２４の側面側上部（正面部１２０ａの両端部上部側）にはストッパー部１６０が取付けられている。このストッパー部１６０は逆Ｌ字型形状をなし、その上部に水平方向に指向する突片部１６０ａを有する。ストッパー部１６０は、底面部１１２が所定量（正面部１２０ａ全体が天井２０の表側２０ｂに出現するまで）降下すると、突片部１６０ａが側面部材１１６の上面部に当接し、底面部１１２のそれ以上の降下を阻止するよう機能するものである。
【００３１】
上記構成につき、その作用を以下に述べる。
【００３２】
天井収納システム１０の未利用時は、収納機構部１２０を天井２０の裏側２０ａに位置させておく。
即ち、ロック機構部１５２のラッチ片１５２ａをラッチ受け部１５２ｂと当接・係合させてロック状態にすれば、底面部１１２の下降が阻止される。このとき、底面部１１２は天井２０と同一水平面上に位置し、底面部１１２はあたかも天井２０の一部の様相を呈するものである。
【００３３】
天井収納システム１０を利用するときは、先ず、天井２０とあたかも一体となっている底面部１１２に設けられた操作部１５０の平面ハンドルを操作することによりラッチ片１５２ａを動かす。すると、ラッチ片１５２ａとラッチ受け部１５２ｂとの当接・係合状態が解除されてアンロック状態になる。この後、平面ハンドルに下方へ付勢する力を付与すると、底面部１１２は昇降制御機構部１４０の上方への付勢力に抗してガイドレール機構部１３０に案内されて降下することになる。そして、ストッパー部１６０の突片部１６０ａが側面部材１１６の上面部に当接すると、底面部１１２のそれ以上の降下は阻止される。而して収納機構部１２０が出現するので、正面部１２０ａを介して物品等の出し入れが可能となる。
【００３４】
物品等の出し入れが終わり天井収納システムの利用を終了するのには、底面部１１２を上方へ付勢して収納機構部１２０を天井２０の裏側２０ａに収納させればよい。即ち、上方へ付勢された底面部１１２は、昇降制御機構部１４０の定荷重ばねによる上方へ付勢する力に乗じて、収縮するガイドレール機構部１３０に案内されて上昇することになる。収納機構部１２０が天井２０の裏側２０ａに移動し、ラッチ片１５２ａがラッチ受け部１５２ｂと当接・係合してロック状態になると、底面部１１２は天井２０と同一水平面上に位置するので、利用終了となる。
【００３５】
上記実施形態によれば、居住空間の広さを損なうことなく、簡単な構造で天井裏空間の有効活用を図れるものである。また、収納機構部１２０の昇降操作は操作部１５０の平面ハンドルによるものなので、簡単な操作で取扱いも容易という実用的に優れた効果を奏するものである。
加えて、ストッパー部１６０により収納機構部１２０の不用意な落下防止も図れるので、安全面にも優れるものある。
また、側面に透明な樹脂板を取付けているので、収納部１２２内の収納物等を正面部１２０ａ以外からも視認でき、便利なものである。さらに、天井収納システム１０の未利用時は、底面部１１２は天井２０と一体的となり、美観にも優れるものである。
【００３６】
なお、本考案は上記実施形態に限定されることなく、その趣旨を逸脱しない限り種々の変形が可能なことは勿論である。
【００３７】
上記実施形態の変形例として、図６に記すように、上記実施形態と同一部分、同一機能には同一番号を付して説明は省略するが、例えば制動ラック（例：株式会社シブタニ製ＳＣ−０６（商品名））及び制動装置（例：株式会社シブタニ製ＳＣ−０８（商品名））から構成される制御ラック機構部１７０を収納機構部１２０の背面側（正面部１２０ａと反対側の側面）に設けて、収納機構部１２０及び底面部１１２の昇降動作を制御するようにしてもよい。即ち、制御ラック機構部１７０により、昇降動作をより緩やかにするとともに、より確実且つ安全な昇降動作を実現化できるものである。
【００３８】
また、図７は上記実施形態の他の変形例を示すものである。上記実施形態と同一部分、同一機能には同一番号を付して説明は省略する。
この変形例にあっては、収納機構部１２０の背面側にラックアンドピニオン機構部１８０を取付け、且つラックアンドピニオン機構部１８０に駆動モータ１９０を取付けた構成とした。即ち、収納機構部１２０の背面側（正面部１２０ａと反対側の側面）に制御ラック１８２を取着するとともに、ピニオン１８４に駆動モータ１９０を取付けた構成としてある。そして、駆動モータ１９０は、底面部１１２に設けられた制御回路ユニット（不図示）の電力供給により、正転（上昇用）・反転（下降用）するよう構成されている。
【００３９】
斯様な変形例によれば、収納機構部１２０の昇降操作を人力によらず実現できるので、より使い勝手のよい天井収納システムを提供できるものである。
また、駆動モータによる昇降は、ラックアンドピニオン機構部に限定されることなく、他の機構を用いても良いことは勿論である。
【００４０】
さらに、図８及び図９は上記実施形態の更なる他の変形例を示すものである。上記実施形態と同一部分、同一機能には同一番号を付して説明は省略する。
この変形例にあっては、天井２０の裏側２０ａでのシステム本体１０の高さＨ１が収納機構部１２０の高さＨ２より低い、即ち、Ｈ１＜Ｈ２であるので、システム未利用時、収納機構部１２０の全てが天井２０の裏側２０ａに位置する訳ではなく一部が天井２０の裏側２０ａに位置するよう構成してある。これは天井裏空間の高さに余裕がない場合に、極めて有効となる。従来のように収納機構部の全てが居住空間側に位置する訳でもないので、圧迫感もさほどなく、美観を損なう虞も少ないものである。このシステムの場合、ロック機構部のラッチ片を例えば金属製フレーム１２４の中間部位に設ける等するとよい。
なお、収納機構部１２０は金属製フレーム１２４を用いることなく、収納機構部１２０全体を強化樹脂にて作製して軽量化を図ってもよいものである。また、ロック機構部としては、ラッチ構造に限定されることなく、例えばマグネットキャッチ方式を採用してもよいものである。
本考案は、その趣旨を逸脱しない限り種々の変形が可能である。
【符号の説明】
【００４１】
１０      …天井収納システム
２０      …天井
２０ａ    …天井の裏側
２０ｂ    …天井の表側
１００    …システム本体
１１０    …上面部
１１２    …底面部
１１４    …側面部
１１６    …側面部材
１１８    …部材
１２０    …収納機構部
１２０ａ  …正面部
１２２    …収納部
１２４    …金属製フレーム
１２６    …樹脂板
１３０    …ガイドレール機構部
１４０    …昇降制御機構部
１５０    …操作部
１５２    …ロック機構部
１５２ａ  …ラッチ片
１５２ｂ  …ラッチ受け部
１６０    …ストッパー部
１６０ａ  …突片部
１７０    …制御ラック機構部
１８０    …ラックアンドピニオン機構部
１８２    …制御ラック
１８４    …ピニオン
１９０    …駆動モータ
【図１】
0003195728.tif 000003
【図２】
0003195728.tif 000004
【図３】
0003195728.tif 000005
【図４】
0003195728.tif 000006
【図５】
0003195728.tif 000007
【図６】
0003195728.tif 000008
【図７】
0003195728.tif 000009
【図８】
0003195728.tif 000010
【図９】
0003195728.tif 000011